(57)【要約】      （修正有）【課題】伸長した布製屋根にかかる張力を調整する構造。【解決手段】東屋や大型テントとして使用される布で覆った構造は、布製屋根１６を支持する屋根梁１４ａ〜１４ｄに連結された複数のほぼ垂直な支柱１２ａ〜１２ｄを備えている。屋根梁の両端部は、それぞれ支柱に取り付けられているとともに、布製屋根の外周ヘムに配置する等により布製屋根の外周部に取り付けられたケーブル又はロープ２６への取付のためのフック部２２を備えている。各屋根梁はさらにテンションスクリュウ３０により伸縮自在な端部を備え、屋根梁の端部を伸ばしてケーブルを緊張状態に保つとともに布製屋根を伸長した状態に保つ。【選択図】図２
2004183476.tif 000002
【特許請求の範囲】
【請求項１】
１又は２以上の支柱と、
その１又は２以上の支柱の上部に取り付けられ、少なくとも１つの屋根梁を有する屋根支持構造と、
その屋根支持構造上に配置された布製屋根であって、その布製屋根の外周部が前記少なくとも１つの屋根梁の両端に取り付けられ、
前記少なくとも１つの屋根梁に連結又は配置され、さらに前記布製屋根の外周部に連結されて、その少なくとも１つの屋根梁の長さを調節するとともに、その屋根梁をその屋根支持構造上に張力で伸長した状態に保つための、少なくとも１つの伸縮自在な部材と
を備える建物構造。
【請求項２】
さらに、前記布製屋根の外周部に配置され、屋根梁の伸縮自在な部材に係合するためのケーブル手段を備える請求項１に記載の建物構造。
【請求項３】
前記ケーブル手段が鋼鉄製ケーブル又はロープである請求項２に記載の建物構造。
【請求項４】
前記布製屋根が、前記ケーブル手段を納めるのに適した外周ヘムを備える請求項２に記載の建物構造。
【請求項５】
前記布製屋根が、その布製屋根の外周まわりに間隔を空けて配置された複数のヘムを備え、前記伸縮自在な部材が、その間隔を空けて配置されたヘムの間をつなぐ前記ケーブル手段に係合する請求項４に記載の建物構造。
【請求項６】
前記伸縮自在な部材が、前記ケーブル手段に係合するためのフックを備えている請求項４に記載の建物構造。
【請求項７】
前記布製屋根が複数の角部を備え、その角部がその布製屋根の外周上の隣り合うヘムの間に配置されている請求項６に記載の建物構造。
【請求項８】
前記少なくとも１つの伸縮自在な部材が前記屋根梁の端部に配置されている請求項１に記載の建物構造。
【請求項９】
伸縮自在な部材が前記屋根梁の両端に配置されている請求項１に記載の建物構造。
【請求項１０】
前記屋根支持構造が、それぞれ第１及び第２の両端を有する複数の屋根梁を備え、伸縮自在な部材がその複数の屋根梁のその第１及び第２の両端に配置されている請求項９に記載の建物構造。
【請求項１１】
前記伸縮自在な手段が、第１及び第２の軸方向に同心の部材と、その軸方向に同心の部材に連結されたテンション・スクリューとを備え、その軸方向に同心の部材を相互に伸縮自在に移動させることが可能な請求項１０に記載の建物構造。
【請求項１２】
前記テンション・スクリューが屋根梁の先端に設置されている請求項１１に記載の建物構造。
【請求項１３】
前記テンション・スクリューが六角形状の先端係止部を有する請求項１２に記載の建物構造。
【請求項１４】
前記テンション・スクリューが屋根梁の長手方向の中心軸線に沿って配置されている請求項１１に記載の建物構造。
【請求項１５】
前記１又は２以上の支柱と、前記少なくとも１つの屋根梁及び伸縮自在な部材とが鋼製の管状体からなる請求項１に記載の建物構造。
【請求項１６】
前記伸縮自在な部材が、さらに、前記フック手段の第１端部に連結されたリング部を有し、そのフック手段の第２の反対側端部が前記ケーブル手段に連結されている請求項６に記載の建物構造。
【請求項１７】
前記伸縮自在な部材が、さらに、伸縮自在に連結された第１先端部と第２内方部とを有する請求項１６に記載の建物構造。
【請求項１８】
前記第１先端部と第２内方部が、さらに、互いに連結されたネジ部を有し、前記第１先端部を第１方向に回転させると、その第１先端部がその第２内方部から伸びて前記少なくとも１つの屋根梁の長さが伸び、その第１先端部を第２の反対方向に回転させると、その第１先端部がその第２内方部の方向に後退して前記少なくとも１つの屋根梁の長さが短くなる請求項１７に記載の建物構造。
【請求項１９】
前記第１先端部が、前記第２内方部に対するその第１先端部の回転を容易にするための部品を有する請求項１８に記載の建物構造。
【請求項２０】
前記部品が工具による係合及び回転に適している請求項１９に記載の建物構造。
【請求項２１】
前記部品が六角面又は四角面の頭部を有する請求項２０に記載の建物構造。
【請求項２２】
さらに、前記第１先端部に連結されたネジ・シャフトと、前記第２内方部に連結されるとともにそのネジ・シャフトを伸縮自在に受け止めるのに適したナットとを備える請求項１８に記載の建物構造。
【請求項２３】
前記フック手段が概ねＳ字状である請求項２０に記載の建物構造。
【請求項２４】
前記概ねＳ字状のフック手段の第１端部が前記リング部に強固に取り付けられている請求項２３に記載の建物構造。
【請求項２５】
１又は２以上の屋根梁を有する建物構造上に、内方部と外周部とを有する布製屋根を取り付ける方法であって、
前記布製屋根をその１又は２以上の屋根梁上に配置するステップと、
前記布製屋根の外周部を前記１又は２以上の屋根梁の両端に取り付けるステップと、
前記１又は２以上の屋根梁を伸縮自在に延長して、前記布製屋根の外周部をその内方部から遠ざけるとともに、その布製屋根を前記１又は２以上の屋根梁上で伸長状態に保つステップと
を備える方法。
【請求項２６】
前記１又は２以上の屋根梁を伸縮自在に延長するステップが、その屋根梁の先端をその屋根梁の残りの内方固定部から外方側に延長することを含む請求項２５に記載の方法。
【請求項２７】
前記１又は２以上の屋根梁を伸縮自在に延長するステップが、さらに、その屋根梁の長手方向の軸線に沿って配されたテンション・スクリューを回転させることを含む請求項２６に記載の方法。
【請求項２８】
前記布製屋根の外周部を前記１又は２以上の屋根梁の両端に取り付けるステップが、その布製屋根の外周ケーブルを屋根梁の端部に引っかけることを含む請求項２５に記載の方法。
【請求項２９】
さらに、前記外周ケーブルを、前記布製屋根の外周部まわりに設けたヘムに配置するステップを有する請求項２８に記載の方法。
【発明の詳細な説明】
【技術分野】
【０００１】
本発明は、一般的に東屋や大型テントのようなシェルタに関し、特に布で覆った構造すなわちシェルタと、その構造の組立方法とに関する。
【背景技術】
【０００２】
公園や庭園、広場で使用されるような東屋や大型テント等の構造は、かかる用途に使用される布素材の構造や特性の向上により、ますます布製屋根を備えることが多くなっている。布は、屋根の梁や垂木などの支持要素の上に取り付けられる。通常、布製屋根は、風、雨、氷雪などによる布への損傷を防止するとともに、それを構造すなわちシェルタの上部に確実に維持するために、きつく伸張させた状態に保たれる。一般的に、布素材は、加えられる張力によって伸長状態を維持されると、時間とともに伸びるため、布素材に印加される張力は通常時間とともに減少する。布製屋根に関しては、これは、上述の自然現象により破れたり、布製屋根が支持構造から分離する等による損傷の原因となる。
【０００３】
布製屋根を建物構造に取付及び維持するには何種類かの方法がある。そのうちの１つは、布製屋根の外周部の上方に配されたいくつかのポイントに手で引っ張るケーブルを取り付けて、支持構造の上部を覆うように布を強く引っ張る方法である。支持構造上に被せられると、布製屋根は、ケーブルを支持構造に連結するクランプにより、支持構造上の位置に維持される。もう１つの方法は、支持構造上部の上に位置する布製屋根の外周部に取り付けられ、その周りに配置されたケーブルないしロープを用いる方法である。ケーブル又はケーブル・セグメントを支持構造の外周部周りに強く引くために、ターンバックルによりケーブルの両端を連結し、又は、複数のターンバックルによりケーブルの複数セグメントの隣接する端部を連結する。ケーブル又はケーブル・セグメント、従って布製屋根の外周部に印加される張力により、布製屋根は支持構造上の位置に確実に保持される。これらの２つの方法によれば、ケーブル・クランプ又はバックルは布製屋根の外周部直近又はその周辺に配置されるため、ケーブルの締付けが困難になるとともに時間を要する。さらに、ケーブル・クランプ及びターンバックルは時間の経過とともに緩む傾向があるため、布製屋根に印加される張力が失われ、布製屋根への損傷又は損失のおそれが増大する。
【発明の開示】
【発明が解決しようとする課題】
【０００４】
本発明は、先行技術の上述の限界に言及するものであり、伸縮自在の屋根梁を有し、各屋根梁がその外側端部で、布製屋根の外周部に取り付けられたケーブルに連結されている構造物すなわちシェルタを提供する。屋根梁の伸縮自在な端部は、ねじを回すだけで内方又は外方に伸縮自在であり、伸長した布製屋根にかかる張力を調整することができる。布製屋根にかかる張力は屋根の外周部まわりで均一であり、屋根梁の伸縮自在な端部と布製屋根の外周ケーブルとを連結することにより、伸長した布製屋根における張力の損失を防止する。
【０００５】
したがって、本発明は、布製屋根を有する東屋又は大型テントタイプの建物構造を提供することを目的とする。
【０００６】
本発明のもう１つの目的は、布製屋根を有し、布製屋根が張力できつく伸長された状態に維持されたシェルタと、この種のシェルタの組立方法とを提供することである。
【０００７】
本発明のさらにもう１つの目的は、容易に増減可能な所定の張力で伸長状態に保たれた布製屋根を有するシェルタを提供することである。
【０００８】
本発明の更なる目的は、複数の伸縮自在な屋根梁を有し、布製屋根をその外周部にかかる均一な張力できつく伸長した状態に維持するための、東屋や大型テントなどのシェルタの布製屋根の構成を提供することである。
【課題を解決するための手段】
【０００９】
本発明は、１又は２以上の支柱と、
１又は２以上の支柱の上部に取り付けられた少なくとも１つ屋根梁を有する屋根支持構造と、
その屋根支持構造に配置された布製屋根であって、布製屋根の外周部が少なくとも１つの屋根梁の両端に取り付けられている屋根と、
少なくとも１つの屋根梁に連結又は配置され、その少なくとも１つの屋根梁の長さを調整するとともに、布製屋根を屋根支持構造上で張力を印加して伸長状態に維持するための、少なくとも１つの伸縮自在な部材と
を備える建物構造を想定している。
【００１０】
さらに、本発明は、１又は２以上の屋根梁を有する建物構造物上に内方部及び外周部を備える布製屋根の取付方法であって、
布製屋根を１又は２以上の屋根梁上に配置するステップと、
その布製屋根の外周部を１又は２以上の屋根梁の両端に取り付けるステップと、
前記１又は２以上の屋根梁を伸縮自在に延長して、前記布製屋根の外周部をその内方部から遠ざけるとともに、布製屋根を前記１又は２以上の屋根梁上で伸長状態に保つステップと
を有する方法を想定している。
【００１１】
添付の特許請求の範囲は、本発明を特徴付ける新規な特徴について規定している。しかし、本発明自体及びその更なる目的及び利点は、添付図面とともに後述の好適な実施例の詳細な発明を参照することにより、最もよく理解される。なお、各図面を通して、同様の符号は同様の要素を示している。
【発明を実施するための最良の形態】
【００１２】
図１において、本発明の１つの実施例に係る布で覆った構造１０の上方から見た斜視図が示されている。布で覆われた構造１０は、第１、第２、第３及び第４のほぼ垂直な支柱１２ａ〜１２ｄを有している。４本の支柱１２ａ、１２ｂ、１２ｃ、及び１２ｄの下端部は、それぞれ支柱基部１８ａ、１８ｂ、１８ｃ及び１８ｄに接続されている。支柱基部１８ａ〜１８ｄは、地面あるいはコンクリートスラブなどの支持面への設置及び／又は挿入に適している（簡略化のため図示しない）。支柱１２ａ〜１２ｄの上端部は、図中に破線で示される屋根支持構造に接続されている。屋根支持構造は第１、第２、第３、及び第４の屋根梁１４ａ〜１４ｄを有しており、これらは図中に破線で示されている。したがって、第１ないし第４の支柱１２ａ〜１２ｄの上端部はそれぞれ屋根梁１４ａ〜１４ｄの外方端部に連結されている。ここでは屋根支持構造を４本の内方で連結された屋根梁の観点から説明しているが、２本の交差した連結屋根梁を備えていてもよい。しかし、本発明は、図１に示される屋根支持構造中の屋根梁の本数や配置構成に限定されない。同様に、図１に示される屋根梁は、ドーム状表面(domed surface)を形成して布製屋根すなわちカバーを支持するが、後述するように、平坦な布製屋根を含むほぼ全ての屋根構造を予定している。
【００１３】
図１において、布製屋根１６は４本の屋根梁１４ａ〜１４ｄ上に配置され、布製屋根の外周部が４本の屋根梁の各先端部付近の位置まで及んでいる。布製屋根１６はしなやかで、しかもその外周部に印加される張力を受け止めて布製屋根を緊張状態に保つのに十分丈夫な布素材であれば、ほぼ全ての布素材から構成することが可能である。大抵の用途であれば、布製屋根１６は、太陽光を遮るとともに耐水・防水性があるぐらいに十分密であり、しかも、相当な強風による荷重及び氷雪による相当の荷重に耐えるのに十分丈夫な軽量材料から構成される。
【００１４】
図２について述べると、布製屋根１６の外周部と、本発明の１つの実施例に従って布製屋根１６を屋根梁１４ｄの端部に連結する方法との斜視図が一部仮想線で示されている。ここで、布製屋根１６を布で覆った構造物１０の屋根支持構造に取り付け、張力をかけて伸長状態に維持する方法について、図３〜図７も参照しながら説明する。図３は、本発明に係る布製屋根の取付・伸長装置に使用されるテンション・スクリュー３０の一部仮想線で示す側面図である。一部仮想線で示される図４と図５は、布製屋根１６を屋根支持構造に取り付けるとともに伸長状態に保つための、屋根梁の伸縮自在な端部の構成要素を示している。図６及び図７は、支柱１２ｄに連結及び支持された、屋根梁１４ｄなどの屋根梁の各端部に組み込まれた屋根伸長装置の側断面図及び側面図である。
【００１５】
屋根梁１４ｄの外方端部は、溶接などの従来の手段（簡略化のため図示しない）により、第４支柱１２ｄの上端部にしっかりと取り付けられている。屋根梁１４ｄは、屋根梁中間部２０ａと、湾曲端部２０ｃとを有する屋根梁外方部２０ｂと、屋根梁内方部２０ｄとを備えている。ここで、「内方」の語は、建物構造の中心に向かう方向を意味し、「外方」の語は屋根梁の先端部に向かう方向を意味するものとして理解される。屋根梁中間部２０ａは支柱１２に取り付けられているとともに、その内方端部付近で細くなっており、屋根梁内方部２０ｄの開放端と伸縮自在に嵌合する。同様に、屋根梁外方部２０ｂは、屋根梁中間部２０ａの外方開放端と伸縮自在に嵌合するのに適している。屋根梁外方部２０ｂの湾曲端部２０ｃは、図４に破線で示されるように円状穴３２を有する。屋根梁外方部３０ｂの湾曲端部３０ｃの穴３２に挿通されるのは細長いテンション・スクリュー３０である。テンション・スクリュー３０は、内方ネジ部３０ａと外方六角状端部３０ｂとを有している。テンション・スクリュー３０の中間部に所定の間隔で取り付けられているのは、第１及び第２の保持カラーすなわち段部４２及び４４である。第１保持カラー４２は、スクリューの外方六角状端部３０ｂに嵌め込まれ、溶接などの従来の手段（簡略化のため図示しない）により取り付けられている。第２保持カラー４４は、スクリューの内方ネジ部３０ａへの取付けに適したネジ穴を有している。屋根梁外方部２０ｂの内方端部内に配置されているのは、円状穴３６ａを有する第１エンドプレート３６である。第１エンドプレート３６は、溶接３４などの従来の手段により、屋根梁外方部２０ｂの内方端部付近でその内側表面にしっかりと取り付けられている。第１エンドプレート３６は、第１及び第２の保持カラー４２及び４４の間に配置されるとともに、第１及び第２の保持カラーにより、テンション・スクリュー３０上の所定位置に維持されている。屋根梁外方部２０ｂの第１エンドプレート３６は、第１保持カラー４２が取り付けられたテンション・スクリュー３０の端部３０ｂを屋根梁外方部２０ｂに挿入することにより、テンション・スクリュー３０に取付可能である。次に、第１エンドプレート３６は、テンション・スクリューの外方端部３０ｂの内方端部に配置され、溶接３４などにより屋根梁外方部の内側表面に取り付けられる。そして、第２保持カラー４４を有するテンション・スクリューの内方ネジ部３０ａの外方端部は、テンション・スクリューの外方端部３０ｂの内方端部にねじ込まれている。テンション・スクリュー３０と屋根梁外方部２０ｂとは、テンション・スクリューが屋根梁外方部内で自由に回転可能なように連結されているが、これら２つは結合されているので、屋根梁外方部は、テンション・スクリューとともに、第４屋根梁１４ｄの長手方向の軸線に沿って回転する。屋根梁中間部２０ａの内方小径端部内に配置されているのは第２エンドプレート３８である。第２エンドプレート３８は、図５ａに係る端面図に示されるような溶接などの従来の手段により、屋根梁中間部２０ａの内側表面にしっかりと固定されている。また、第２エンドプレート３８は円状穴３８ａを有している。テンション・スクリュー３０の内方ネジ部３０ａは、図６に係る断面図にも示されるように、第２エンドプレート３８内の穴３８ａに挿通されている。テンション・スクリュー３０が同心の穴３２、３６ａ、及び３８ａに挿通された状態で、細長いテンション・スクリューは屋根梁１４ｄの長手方向の軸線に沿った配置に保たれている。第１、第２、及び第３の屋根梁１４ａ、１４ｂ、及び１４ｃの先端部も同様に構成されている。
【００１６】
溶接などの従来の手段により第２エンドプレート３８の内側表面に取り付けられているのはナット４０であり、テンション・スクリュー３０の内方ネジ部３０ａが挿通されている。テンション・スクリュー３０を第１方向に回転させると、テンション・スクリューと屋根梁外方部２０ｂとは、屋根梁中間部２０ａ内を内方側に移動する。一方、テンション・スクリュー３０を第２の反対方向に回転させると、テンション・スクリューと、それが取り付けられている屋根梁外方部２０ｂとの結合体は屋根梁中間部２０ａから外方側に移動し、これにより第４屋根梁１４ｄは延長される。このような方法で、各屋根梁は、屋根梁の端部に挿入されたテンション・スクリューを回転させることにより、伸縮可能である。
【００１７】
第４屋根梁１４ｂの先端部に取り付けられているのはフック部２２である。具体的に言えば、フック部２２は、溶接２３などの従来の手段により、可動式の屋根梁外方部２０ｂの外方先端部にしっかりと取り付けられている。フック２２は、図２に示すように、布製屋根１６の外周部に取り付けられ、その外周部まわりに設けられたケーブルないしロープ２６との係合に適している。布製屋根１６の外周縁はヘムを備えており、第１及び第２の屋根ヘム２４ａ及び２４ｂについては、図２に示すようにケーブル２６の一部を包んでいる。図２に示すように、テンション・スクリュー３０を時計回りに回転させると、屋根梁外方部２０ｂが屋根梁中間部２０ａ内に後退し、第４屋根梁１４ｄは短くなる。この場合、ケーブル２６に係合しているフック２２が内方側へ動くと、ケーブルにかかる力及びケーブルの張りは小さくなる。逆に、図２のようにテンション・スクリュー３０を反時計回りに回転させると、屋根梁外方部２０ｂは屋根梁中間部２０ａからさらに伸び、フック２２がケーブル２６に及ぼす力及びケーブルの張力は増大する。このように調整可能かつ一定の張力をケーブル２６にかけることにより、布製屋根１６をきつく伸張した状態に維持することができる。布製屋根に印加される張力を大きくすると、時間の経過とともに古びて伸びてしまっても、布製屋根をきつく伸張した状態に保つことができる。一方、前述したように各屋根梁の長さを短くすると、布製屋根１６に印加される張力は減少する。ケーブルに係合しているフックを内方側に十分移動させれば、屋根ケーブルから張力をなくすことができ、布製屋根を補修又は交換することができる。
【００１８】
図８、図９において、本発明の原理に従った布製屋根を有する建物構造すなわちシェルタの他の実施例が示されている。図８は、単一の支柱６４により支持された布製屋根６２を有する、布で覆った構造６０の上方から見た斜視図である。構造６０は、複数の放射状屋根梁を備える屋根支持装置を有しており、５本の屋根梁の端部が要素６６ａ〜６６ｅとして示されている。放射状屋根梁６６ａ〜６６ｅの先端部は、布製屋根６２内の外周ケーブルに係合するとともに布製屋根を張力で伸長した状態に保つべく、前述のような伸縮自在な装置を有する。図９は、本発明に係る布で覆った構造７０のさらに他の実施例の上方から見た斜視図である。布で覆った構造７０は、屋根梁７６ａ〜７６ｄを有する支持装置を備え、各屋根梁は布製屋根７２内の外周ケーブルに係合するとともに、ケーブルとともに屋根を伸張状態に保つ。本発明の第１実施例のように、図９に示す布で覆った構造７０は４本の支柱７４ａ〜７４ｄを備えるが、図１に示した構造よりもより湾曲度合いが大きいアーチの布製屋根構造である。
【００１９】
図１０について述べると、本発明の他の実施例に従って布製屋根８０を備えた、東屋や大型テントなどの建物構造の一部分の一部仮想線で図示した斜視図が示されている。図１１は、図１０に示した屋根取付・伸長装置に使用される伸縮自在な屋根梁外方部８８の一部仮想線で示す側面図である。図１２及び図１３は、それぞれ、本発明の第２実施例に係る布製屋根取付・伸長装置の側断面図及び側面図である。
【００２０】
図１０の実施例に示すように、布製屋根８０は、その外周まわりに配置されたケーブルないしロープ８２に取り付けられている。前述の実施例のように、ケーブル８２は、布製屋根８０の外縁部まわりに設けたヘム（簡略化のため図示しない）に配してもよい。各屋根の垂木は、支柱８４に取付け及び支持された複数の伸縮自在な部材を備え、また、支柱８４は支柱基部１０４に配置及び支持されている。本建物構造は任意の本数の垂直支柱を備えることができ、必須ではないものの、通常は図１０のように各支柱が布製屋根８０の各角部と連結されている。したがって、図１０〜図１３に示す実施例において、屋根の垂木は、１つの屋根梁外方部８８と、屋根梁中間部８６と、屋根梁内方部１０８（図１３に破線で示されている）を備えている。屋根梁外方部８８の先端部８８ａは、湾曲した構造であり、穴を有している。屋根梁外方部８８は、屋根梁中間部８６内に伸縮自在に挿入され、その中で屋根の垂木の長手方向の軸線に沿って自由に移動可能である。同様に、図１３に示すように、屋根梁中間部８６は屋根梁内方部１０８内への挿入に適している。しかし、屋根梁中間部８６が屋根梁内方部１０８に挿入されると、これら２つの屋根梁部は所定の方法で強固に連結され、これら２つの部材が相対的に移動できないようになる。前述の実施例のように、溶接などの従来の手段を用いて、屋根梁中間部８６を支柱８４の上端部にしっかりと取り付けることができる。
【００２１】
屋根梁外方部８８の内方端部に取り付けられているのはエンドプレート９６である。エンドプレート９６はネジ穴９６ａを有し、図１１ａに示すように、複数の溶接１０６により、屋根梁外方部８８の内方端部の内側表面に取り付けられている。エンドプレート９６のネジ穴９６ａに挿入されているのはネジ・シャフト９８である。ネジ・シャフト９８は、溶接などの従来の手段によってエンドプレート９６にしっかりと取り付けられ、屋根梁外方部８８とネジ・シャフト９８とが一体としてそれらの長手方向の同心軸線を中心に回転することになる。ネジ・シャフト９８の内方端部はロック・ナット１０２を挿通し、これに係合している。ロック・ナット１０２は、前述したように、屋根梁中間部８６の内方に取り付けられた第２のエンドプレート１００の内部表面に固定されている。第２エンドプレート１００は、ロック・ナット１０２のネジ穴と同心の穴を備えている。ネジ・シャフト９８の端部は、ロック・ナット１０２と第２エンドプレート１００の同心穴に挿通され、ロック・ナットにねじ込まれている。屋根梁外方部８８の外径と屋根梁中間部８６の内径とは、屋根梁外方部が屋根梁中間部内を自由に摺動可能であり、これら２部材の長手方向の軸線が共通するように設けられている。
【００２２】
屋根梁外方部８８の湾曲端部８８ａの穴に挿通されているのは先端部品９０である。先端部品９０は、屋根梁外方部の湾曲端部８８ａの穴に設けられた内側ネジと強固に係合するための外側ネジを備えていてもよい。先端部品９０はまた、溶接などの他の従来手段により、所定の方法で屋根梁外方部８８にしっかりと取り付けられ、それによって先端部品９０と屋根梁外方部８８とが強固に取り付けられていてもよい。先端部品９０の先端部９８には六角形又は正方形状の外周部を設けることができ、レンチなどの従来の工具による係合が容易である。先端部品９０と屋根梁外方部８８の結合体を回転させると、それに連結されたネジ・シャフト９８が、それに対応して回転する。ロック・ナット１０２に挿通されねじ込まれたネジ・シャフト９８が回転すると、先端部品９８と屋根梁外方部８８の結合体は屋根梁中間部８６を伸縮自在に移動する。このようにして、屋根の垂木の長さを所望のように伸縮することができる。
【００２３】
先端部品９０の内方端部まわりに配置されているのは連結リング９４である。先端部品９０の先端９０ａは連結リング９４の内径よりも大きいサイズであるため、連結リング９４は先端部品９０と屋根梁外方部８８の結合体から外れない。連結リング９４は、先端部品９０上を自由に移動可能である。連結リング９４に取り付けられているのはＳ字状フック９２であり、Ｓ字状フック９２はまた、布製屋根８０の外周部内に配置及び取り付けられたケーブル８２に連結されている。Ｓ字状フック９２の外方端部を連結リング９４の周りに曲げかしめて、フックが先端部品９０と屋根梁外方部８８の結合体から分離して紛失するのを防止することができる。先端部品９０と屋根梁外方部８８の結合体をそれらの先端から見て反時計回りに回転させると、屋根梁外方部が屋根梁中間部８６内を外方側に移動して屋根梁が伸び、ケーブル８２を締め付け、すなわち、より大きな張力をかけて、布製屋根８０をきつく伸張した状態に維持することができる。先端部品９０と屋根梁外方部８８の結合体をこれら２本の屋根梁部の外方端部から見て時計回りに回転させると、先端部品と屋根梁外方部の結合体が屋根梁中間部８６内を内方側に移動して、ケーブル８２から張力を軽減又は除去し、布製屋根８０に印加される張力を小さくすることができる。このようにして、布製屋根８０に印加される張力を容易に調整してほとんどいかなる所望の値をも想定して、それを正確に設定及び維持することができる。
【００２４】
本発明の特定の実施例について説明したが、広い観点で本発明から外れることなく変更及び修正が可能であることは当業者にとって明白である。したがって、添付の特許請求の範囲の目的は、この発明の精神及び範囲内に該当する全ての変更及び修正を含むことである。前述の記述と添付図面に記載された事項は説明にすぎないものであり、限定とされるものではない。本発明の範囲は、先行技術に基づく適切な観点から見て、特許請求の範囲で定義されるべきものである。
【図面の簡単な説明】
【００２５】
【図１】本発明の１つの実施例に従って布製屋根を利用した、東屋又は大型テントなどの建物構造の一部仮想線で示す斜視図である。
【図２】布製屋根の角部と、本発明に従って布製屋根を支持構造の上部に取り付ける方法との一部仮想線で示す斜視図である。
【図３】本発明に係る布製屋根の取付・伸長装置に使用されるテンション・スクリューの一部仮想線で示す側面図である。
【図４】本発明に従って布製屋根を支持構造に取り付け、布製屋根を緊張状態に維持するための、伸縮自在な屋根梁の端部の一部仮想線で示す側面図である。
【図４ａ】図４に示された伸縮自在な屋根梁の構成部品の、矢視４ａ−４ａによる端面図である。
【図５】本発明に従って布製屋根を支持構造に取り付け、布製屋根を緊張状態に維持するための、伸縮自在な屋根梁の端部の一部仮想線で示す側面図である。
【図５ａ】図５に示された伸縮自在な屋根梁の構成部品の、矢視５ａ−５ａによる端面図である。
【図６】本発明に係る布製屋根の取付・伸長装置に使用される屋根梁の伸縮自在な端部の側断面図である。
【図７】本発明に係る布製屋根の取付・伸長装置に使用される屋根梁の伸縮自在な端部の側面図である。
【図８】本発明に従って構造すなわちシェルタを覆う布製屋根のもう１つの実施例の斜視図であって、本構造は単一の支柱を有する。
【図９】本発明の別の実施例に従って構造上部に取り付けられた布製屋根を備えたさらに別の構造の上方から見た斜視図である。
【図１０】本発明の別の実施例に従って布製屋根を備えた、東屋・大型テントなどの建物構造の一部分の一部仮想線で示す斜視図である。
【図１１】図１０に示された本発明の第２実施例に従って布製屋根を伸長状態に維持するための伸縮自在な屋根梁部の一部仮想線で示す側面図である。
【図１１ａ】図１１に示された屋根梁部の一部の端面図である。
【図１２】図１０に示された本発明の第２実施例における布製屋根の取付・伸長装置に使用される屋根梁の伸縮自在な端部の側断面図である。
【図１３】図１０に示された本発明の第２実施例における布製屋根の取付・伸長装置に使用される屋根梁の伸縮自在な端部の側面図である。
【図１】
2004183476.tif 000003
【図２】
2004183476.tif 000004
【図３】
2004183476.tif 000005
【図４】
2004183476.tif 000006
【図４ａ】
2004183476.tif 000007
【図５】
2004183476.tif 000008
【図５ａ】
2004183476.tif 000009
【図６】
2004183476.tif 000010
【図７】
2004183476.tif 000011
【図８】
2004183476.tif 000012
【図９】
2004183476.tif 000013
【図１０】
2004183476.tif 000014
【図１１】
2004183476.tif 000015
【図１１ａ】
2004183476.tif 000016
【図１２】
2004183476.tif 000017
【図１３】
2004183476.tif 000018
【外国語明細書】
2004183476000001.pdf